(57)【要約】   本発明は、プラスチック材料から成形する種類の、靴用蒸散防水アウターソールであって、該アウターソールは、足の前方部分に、適当な合成球状青銅製挿入体（４）をぴったりと永久的に収容可能な複数の貫通孔（２、２０）を有し、該孔（２）の外側を被覆可能な蒸散防水膜（３、３０）でその上部を覆う特殊部分（Ｚ、Ｚ１）を備えること、を特徴とする、靴用アウターソールを指す。【選択図】図２
2008540025.tif 000002
【特許請求の範囲】
【請求項１】
プラスチック材料から成形する種類の、靴用蒸散防水アウターソールであって、該アウターソールは、足の前方部分に、適当な合成球状青銅製挿入体（４）をぴったりと永久的に収容可能な複数の貫通孔（２、２０）を有し、前記孔（２）の外側を被覆可能な蒸散防水膜（３、３０）でその上部を覆う特殊部分（Ｚ、ＺＩ）を備えること、を特徴とする、靴用アウターソール。
【請求項２】
前記特殊部分（Ｚ）を、初めから前記アウターソールのワンピース構造に組込むこと、を特徴とする請求項１に記載の靴用アウターソール。
【請求項３】
前記特殊部分（Ｚ、ＺＩ）を、前記アウターソールの適当な開口部（Ｆ）内にぴったりと取付ける独立した成形プラスチックプレート（５）として獲得すること、を特徴とする請求項１に記載の靴用アウターソール。
【請求項４】
前記特殊部分（Ｚ、ＺＩ）の前記貫通孔（２、２０）は、円形断面を有し、従って、合成青銅製挿入体（４）を、適当な円筒体として成形すること、を特徴とする上記請求項の１項又は複数項に記載の靴用アウターソール。
【発明の詳細な説明】
【技術分野】
【０００１】
本特許出願では、蒸散特性及び防水特性を備える靴用アウターソールについて言及する。
【背景技術】
【０００２】
既知のように、靴内部で外気を確実に循環可能にする１つ又は複数の孔を有する成形プラスチックソールが、長い間市販され、ユーザをより快適にしてきた。
【０００３】
既知の種類の蒸散靴によると、空気を導入するのに用いる孔は、靴の歩行面に開口している。
【０００４】
この点に関して、これらの孔については、水が地面から孔を通って浸透しないように、且つ靴内のユーザの足に到達しないようにする必要があるのは、明らかである。
【０００５】
特に、孔の内側を既知の種類の蒸散及び防水膜で“密封”しているが、これは該膜により空気を導入でき、水及び湿気の浸入を防止できるためである。
【０００６】
つまり、水が空気導入に用いる孔を通って上昇し易いが、防水膜が提供するバリアによって、そうした水が靴内に浸透しないようにしている。
【０００７】
しかしながら、こうした統合技術は、機能的な観点からは完全に満足できるものではなく、重要な欠点がある。
【０００８】
空気を靴内部に導入するよう設計した孔には、地面とアウターソールとが繰返し接触するに伴い、土、塵、小石が詰まり易い点が、指摘されている。
【０００９】
そのような場合、孔の断面が詰まり、その結果、所望する空気導入が不可能になる。
【００１０】
手短に言えば、上記欠点を持つアウターソールを備える靴は、短時間で蒸散特性を失ってしまう。
【００１１】
その上、無理に小石が孔内に入ると、ソールの孔内側を保護する蒸散防水膜が裂けてしまう可能性がある。
【００１２】
疑いなく、一旦膜が損傷を受けると、雨水が靴内部に浸透して、ユーザの足が濡れてしまうため、更なる欠点が発生する。
【００１３】
膜に損傷を与える危険性を減らすために、通気孔の断面を極力小さくしたが、これにより尖った極小物体が侵入する危険性は軽減するものの、逆に孔が通す空気量は減り、孔が土や泥で急に詰まり易くもなる。
【発明の開示】
【発明が解決しようとする課題】
【００１４】
本発明の目的は、上述した不便を解消することを特に目指して、上記技術を革新することである。
【００１５】
より明確には、本発明の目的は、アウターソールの通気孔に、土、小石及び他の不純物が詰まらないようにすることであり；本発明の別の目的は、内側の蒸散防水膜が、孔から入る硬い不純物の活発な干渉作用下で損傷を受ける危険性を防ぐことである。
【００１６】
前述した目的を、通気孔の断面を減少させず、従って空気量及びアウターソールの蒸散特性を変化させずに、本発明により達成した。
【００１７】
前述した目的を達成するために、特殊部分を、成形プラスチックアウターソールに（好適には、足の前方部分中心に）設けて、信頼性、耐久性がある蒸散防水特性を保証する。
【００１８】
実際に、本発明のアウターソールの特殊部分を、アウターソールの適当な開口部内に後段階で固定する独立した挿入体として、又はアウターソールのワンピース構造を作製中に特別な機械加工作業を行いその結果として、これを獲得できる。本発明に関する両構造の実施例では、アウターソールの特殊部分には、空気を導入するための円形断面を有する複数の孔を備える他、ソール上で孔の内側を被覆する従来の蒸散防水膜を備える。
【００１９】
本発明の特殊性は、孔に、完全に孔の全断面及び全高を充填するために、該孔に対応する合成球状青銅製の小円筒体を含む点にある。
【００２０】
より厳密には、該円筒体を球状青銅粉から得る微小球体製品とする。
【００２１】
球状青銅粉により、良好な機械抵抗を有し、同時に微小球体を高温で半田付けする処理によって、空気流が貫通できる機械加工可能な固体塊を得られる。
【００２２】
特に、これら製品を通した空気到達量は、粉微小球体の直径及び獲得した製品の厚みに応じて変化し、一般に、荷重ロスの一次関数となる。
前述した考察に基づけば、明らかに、本発明のアウターソールで使用する合成青銅製円筒体は、水の上昇を妨害できないものの（このために、アウターソールの特殊部分に従来の蒸散防水膜を提供する必要がある）、空気を貫通させて確実に足に関して蒸散できる。
それでもなお、上記円筒体の真の効果は、該円筒体によって、ユーザの足のための空気循環を損なうことなく、孔が閉塞する危険性や内側の膜に損傷を与える危険性を防げる点にある。
【００２３】
実際、外側靴の孔を、それに対応する構造の上記円筒体で完全に充填すれば、明らかに、孔が、地面からの土、泥又は極小ごみで偶然に詰まらなくなる。
【００２４】
同様に、孔内部に円筒体を存在させることで、防水膜を損傷可能な硬い小さな破片が、該膜まで上昇するのを全く不可能にできる。
【００２５】
この点に関して、合成青銅粉製円筒体を硬質構造にすると、小石、岩石の破片又は他の鋭い微小な不純物と活発に接触した場合でも、完全な状態を保てるため、極めて有用である。
【発明を実施するための最良の形態】
【００２６】
より明確にするために、本発明に関する記述を、包含する図面を参照して引き続き行うが、該図面は、例証を目的とするもので、限定を意味するものではない。
【００２７】
図１を参照すると、本発明のアウターソール（１）には、足の前方部に位置する特殊な蒸散防水部分（Ｚ）を備えている。
【００２８】
部分（Ｚ）には、好適には円形断面を有する、複数の貫通孔（２）を備える。
【００２９】
特殊部分（Ｚ）の内側を、蒸散防水膜（３）で完全に覆い、該膜は、この位置で、孔（２）の外側も被覆する。
【００３０】
各孔（２）には、合成球状青銅製円筒体（４）を、厳密に、永久的に収容するが、該円筒体（４）により、空気を該孔（２）に貫通可能にする一方で、孔（２）に、最終的には膜（３）に損傷を与える可能性がある地面に存在する不純物が詰まる危険性を防ぐ。
【００３１】
上述したように、本発明を、２つの異なる構成の実施例により実現することができるが、該２実施例は、機能的及び概念的観点において、全く同等物である。
【００３２】
図１で示すように、本発明の第１実施例では、特殊部分（Ｚ）を初めからアウターソールのワンピース構造に組込む。
【００３３】
図２及び図３で示すように、本発明の第２実施例では、特殊部分（ＺＩ）を独立した成形プラスチックプレート（５）のようなものとして獲得し、これを本発明の対応するバージョンのアウターソール（１０）にある適当な開口部（Ｆ）内にぴったりと取付ける。
【００３４】
明らかに、独立プレート（５）には、合成青銅製円筒体（４）をぴったりと収容するのに適した貫通孔（２０）を備え、従来の蒸散防水膜（３０）で該プレートの上側を覆う。
【００３５】
最後に、注意すべきは、特殊部分（Ｚ、ＺＩ）の孔（２、２０）は円形断面を有し、従って、合成青銅製円筒体（４）はそれに対応する円筒構造を有する。該孔（２、２０）は別の断面も有することができ、従って、孔（２、２０）に含む合成青銅製円筒体（４）も別の構造を有することができる。
【図面の簡単な説明】
【００３６】
【図１】ワンピースバージョンについての、本発明に係るアウターソールの不等角投影図である。
【図２】特殊部分を分離して獲得し、該部分を次にアウターソールの前方部分にある対応する開口部に挿入するバージョンについての、本発明に係るアウターソールの分解不等角投影図である。
【図３】図２の特殊部分の平面ＩＩＩ-ＩＩＩに沿った断面図である。
【符号の説明】
【００３７】
１                    アウターソール
２，２０          孔    
３，３０          蒸散防水膜
４                    円筒体
５                    独立プレート
Ｆ                    開口部
Ｚ、ＺＩ          特殊部分
【図１】
2008540025.tif 000003
【図２】
2008540025.tif 000004
【図３】
2008540025.tif 000005
【国際調査報告】
2008540025.tif 000006
2008540025.tif 000007
2008540025.tif 000008
2008540025.tif 000009